(57)【要約】【課題】隣接位置のケーブルを退避させて各種作業を効率良く行うことが可能なケーブル退避方法及びケーブル退避用治具を提供する。【解決手段】複数列に配列されたアダプタ１１の配列間の隙間Ｓに、湾曲した板状のケーブル押さえ板部２５を有するケーブル退避用治具２１の差し込み板部２２を差し込むことにより、アダプタ１１に接続されてケーブル押さえ板部２５の湾曲の内側に位置する光ファイバ心線１３を、ケーブル退避用治具２１のケーブル押さえ板部２５の湾曲の内側の面によって押さえて退避させる。【選択図】図１
2010096835.tif 000002
【特許請求の範囲】
【請求項１】
複数列に配列されたアダプタの配列間の隙間に、湾曲した板状の治具を差し込むことにより、前記アダプタに接続されて前記治具の湾曲の内側に位置するケーブルを、前記治具の湾曲の内側の面によって押さえて退避させることを特徴とするケーブル退避方法。
【請求項２】
複数列に配列されたアダプタの配列間の隙間へ挿抜可能な差し込み板部と、前記差し込み板部から前記隙間への差し込み方向後方へ向かって一方の面側へ湾曲されたケーブル押さえ板部とを有することを特徴とするケーブル退避用治具。
【請求項３】
請求項２に記載のケーブル退避用治具であって、前記差し込み板部から前記アダプタの配列間の隙間への差し込み方向後方へ向かって、湾曲されたケーブル押さえ板部の曲率半径が徐々に小さくなっていることを特徴とするケーブル退避用治具。
【請求項４】
請求項２または３に記載のケーブル退避用治具であって、
前記ケーブル押さえ板部には、その湾曲の外側の面に、前記アダプタに接続されるケーブルに対応した線番識別表示が設けられていることを特徴とするケーブル退避用治具。
【請求項５】
請求項２から４のいずれか一項に記載のケーブル退避用治具であって、
前記ケーブル押さえ板部に、吊り下げ用の線材からなる吊り下げ支持部が連結されていることを特徴とするケーブル退避用治具。
【発明の詳細な説明】
【技術分野】
【０００１】
本発明は、多数心の光ファイバ心線などのケーブルをコネクタで接続または接続替えを行う光配線盤などでの作業時におけるケーブル退避方法及びケーブル退避用治具に関するものである。
【背景技術】
【０００２】
光配線盤には、光コネクタアダプタを多数配列してなるコネクタ接続盤が設けられている。そして、光ファイバコードの接続替えにおいては、コネクタ接続盤の任意の位置の光コネクタアダプタに接続されている光ファイバコードの光コネクタプラグを抜き取り、他の光コネクタアダプタに接続替えを行う（例えば、特許文献１参照）。
【０００３】
【特許文献１】特開２００１−５７６８３号公報
【発明の開示】
【発明が解決しようとする課題】
【０００４】
ところで、上記光コネクタアダプタ等のアダプタは複数列に配列されているため、アダプタに対する光コネクタの挿抜作業などを行う際に、隣接位置に配列されたアダプタに光コネクタによって接続されている光ファイバコードや心線等が挿抜作業の邪魔となり、作業効率が低下してしまう。また、作業時に光ファイバコードや心線等を損傷させたり、使用中の光ファイバの場合には、光ファイバ中を伝播する信号光の光損失が急増して、通信に影響を与えてしまうおそれもある。
【０００５】
本発明の目的は、隣接位置のケーブルを退避させて各種作業を効率良く行うことが可能なケーブル退避方法及びケーブル退避用治具を提供することにある。
【課題を解決するための手段】
【０００６】
前記課題を解決することのできる本発明に係るケーブル退避方法は、複数列に配列されたアダプタの配列間の隙間に、湾曲した板状の治具を差し込むことにより、前記アダプタに接続されて前記治具の湾曲の内側に位置するケーブルを、前記治具の湾曲の内側の面によって押さえて退避させることを特徴とする。
【０００７】
また、本発明のケーブル退避用治具は、複数列に配列されたアダプタの配列間の隙間へ挿抜可能な差し込み板部と、前記差し込み板部から前記隙間への差し込み方向後方へ向かって一方の面側へ湾曲されたケーブル押さえ板部とを有することを特徴とする。
【０００８】
本発明のケーブル退避用治具において、前記差し込み板部から前記アダプタの配列間の隙間への差し込み方向後方へ向かって、湾曲されたケーブル押さえ板部の曲率半径が徐々に小さくなっていることが好ましい。
【０００９】
本発明のケーブル退避用治具において、前記ケーブル押さえ板部には、その湾曲の外側の面に、前記アダプタに接続されるケーブルに対応した線番識別表示が設けられていることが好ましい。
【００１０】
また、本発明のケーブル退避用治具において、前記ケーブル押さえ板部に、吊り下げ用の線材からなる吊り下げ支持部が連結されていることが好ましい。
【発明の効果】
【００１１】
本発明のケーブル退避方法及びケーブル退避用治具によれば、作業を行うアダプタ列と、このアダプタ列に隣接する他のアダプタ列との間に治具を差し込むことにより、隣接する他のアダプタ列に接続されているケーブルを治具の湾曲の内側の面によって押さえて退避させるので、作業対象のアダプタ列での作業時に、隣接するアダプタ列のケーブルが邪魔となるようなことがなくされる。
これにより、アダプタに対する作業効率を大幅に高めることができ、さらには、作業時における隣接するアダプタ列のケーブルの損傷や使用中の光ファイバ中を伝播する信号光の光損失が急増して、通信に影響を与えるなどの不具合をなくすことができる。
【発明を実施するための最良の形態】
【００１２】
以下、本発明に係るケーブル退避方法及びケーブル退避用治具の実施の形態の例について、図面を参照して説明する。
【００１３】
図１は本実施形態に係るケーブル退避方法及びケーブル退避用治具を示す図であって、（ａ）は配線盤の正面図、（ｂ）は配線盤の横断面図、（ｃ）は配線盤の縦断面図である。また、図２は本実施形態に係るケーブル退避用治具を示す図であって、（ａ）は右側面図、（ｂ）は底面図、（ｃ）は上面図、（ｄ）は正面図、（ｅ）は背面図、（ｆ）は左側面図、（ｇ）は（ａ）における一部の拡大図である。
【００１４】
図１に示すように、配線盤１には、窓部２が形成されており、この窓部２には、縦長に形成された複数の取付フレーム３が、横方向へ配列されている。これらの取付フレーム３は、その上下端が窓部２の上下縁に固定されて支持されており、隣り合う取付フレーム３同士は、僅かな隙間Ｓをあけて配置されている。
取付フレーム３には、長手方向に沿って２心用の複数のアダプタ１１が装着されている。アダプタ１１は、配線盤１の表裏側に、それぞれ光コネクタ１２が接続可能であり、端末に光コネクタ１２が取り付けられた光ファイバ心線（ケーブル）１３同士がアダプタ１１によって光学的に接続される。なお、光ファイバ心線１３は、光ファイバ素線や光ファイバコードの形態の場合もある。
【００１５】
上記構造の配線盤１には、その一方の面側から、ケーブル退避用治具２１が着脱可能とされている。
図２に示すように、このケーブル退避用治具２１は、アルミニウムからなる板材に黒アルマイト処理を施した板状のもので、平板状の差し込み板部２２と、湾曲板状のケーブル押さえ板部２５を含む本体部２３とを有している。
【００１６】
差し込み板部２２は、その上下の幅寸法が取付フレーム３同士の隙間Ｓの長さ寸法よりも僅かに小さくされており、隙間Ｓへ挿入可能である。この差し込み板部２２は、その差し込み先端側の縁部が全体として大きな円弧状に形成されている。図２（ｇ）に示すように、この差し込み板部２２の根元部分は、本体部２３側に向かって次第に幅寸法が大きくされたテーパ部２２ａを有している。
【００１７】
本体部２３は、隙間Ｓの長さ寸法よりも大きい幅寸法を有する平板状の平板部２４を有している。また、本体部２３は、平板部２４に対して差し込み板部２２と反対側がケーブル押さえ板部２５とされており、このケーブル押さえ板部２５は平板部２４よりも上下の幅の広い広幅部２５ａと、平板部２４から広幅部２５ａへ向かって次第に上下方向に幅が広がる拡幅部２５ｂとを有している。
【００１８】
平板部２４とケーブル押さえ板部２５との境界部分には、段部２６が形成されており、平板部２４に対してケーブル押さえ板部２５が一方の面方向へずらされている。ケーブル押さえ板部２５は、平板部２４に対してずらされた一方の面方向へ向かって湾曲された湾曲形状を有しており、その曲率半径は、差し込み板部２２と反対側へ向かうに従って次第に小さくされている。また、本体部２３の端部には、差し込み板部２２と反対側へ突出する把持部２７が形成されている。
【００１９】
ケーブル退避用治具２１の各部の寸法例としては、平面視における全長（図２（ａ）の左右方向の長さ）が１５５ｍｍ以上１６０ｍｍ以下程度、差し込み板部２２の上下方向の幅寸法が７５ｍｍ以上８０ｍｍ以下程度、平面視におけるケーブル押さえ板部２５の長さ（図２（ａ）の左右方向の長さ）が７０ｍｍ以上７５ｍｍ以下程度、ケーブル押さえ板部２５の広幅部２５ａの上下方向の幅寸法が１１５ｍｍ以上１２０ｍｍ以下程度、ケーブル押さえ板部２５の湾曲の曲率半径が７５ｍｍ以上８０ｍｍ以下程度である。
【００２０】
なお、ケーブル押さえ板部２５の湾曲の曲率半径は、差し込み板部２２からアダプタ１１の配列間の隙間への差し込み方向後方（図２（ｃ），（ｄ）の左方向）へ向かって徐々に小さくなっていることが好ましい。一般的な光ファイバケーブルの場合、曲げによる光損失の増加が無視しうる曲率半径は３０ｍｍ以上であるので、ケーブル退避用治具のケーブル押さえ板部の曲率半径は３０ｍｍ以上となるようにすることが好ましいが、この曲率半径は退避させるべきケーブルに応じて適宜変更すれば良い。
【００２１】
また、ケーブル退避用治具２１のケーブル押さえ板部２５には、湾曲の外側の面である表面に、線番識別表示３１が設けられている。この線番識別表示３１は、蛍光塗料によって付された隣同士が異なる色とされた複数の識別表示線（表示線）３２を配列させたものである。識別表示線３２は、差し込み板部２２を隙間Ｓに差し込んだ際に、光コネクタ１２が差し込まれる各アダプタ１１の差し込み口１１ａに対応している。各識別表示線３２は、その途中から差し込み板部２２から離れるに従って幅が広くされている。また、各識別表示線３２には、配列方向の一方側から順に番号の表示３３が付されている。なお、上記のケーブル退避用治具２１は、各角部に面取りが施されている。
【００２２】
また、ケーブル押さえ板部２５には、差し込み板部２２と反対側の隅部に、孔部３４が形成されており、この孔部３４には、図３に示すように、吊り下げ支持部３５が取り付けられている。この吊り下げ支持部３５は、孔部３４に通されたリング３６を有し、このリング３６には、吊り下げワイヤ（線材）３７の一端が取り付けられている。この吊り下げワイヤ３７の他端には、磁石を備えた固定部３８が取り付けられている。
そして、この吊り下げ支持部３５の固定部３８を、例えば図３に示すように、配線盤１を支持するフレーム３９等に磁力により貼着させることにより、ケーブル退避用治具２１を吊り下げ支持部３５の吊り下げワイヤ３７によって吊り下げることができるようになっている。
【００２３】
次に、上記のケーブル退避用治具２１を用いて配線盤１の作業を行う場合について説明する。
配線盤１に上下に配列されたアダプタ１１において、例えば、光コネクタ１２の挿抜作業を行う場合、作業者は、吊り下げ支持部３５によって吊り下げられているケーブル退避用治具２１の差し込み板部２２を、作業対象のアダプタ１１の列に隣接して配列されている他のアダプタ１１の列との間の隙間Ｓに、ケーブル押さえ板部２５の湾曲の外側の表面が作業側のアダプタ１１の列側に向くように差し込む。
【００２４】
このようにすると、ケーブル退避用治具２１の差し込み板部２２が隙間Ｓに嵌合され、この差し込み板部２２の根元部分に形成されたテーパ部２２ａが隙間Ｓに入り込む。これにより、ケーブル退避治具２１は、隙間Ｓに対してがたつきなく差し込まれて固定される。
【００２５】
これにより、作業側のアダプタ１１の列に隣接する他のアダプタ１１の列の光ファイバ心線１３は、ケーブル退避用治具２１の湾曲したケーブル押さえ板部２５によって作業側のアダプタ１１の列から離れる方向へ押さえ付けられて、ケーブル押さえ板部２５の湾曲に沿って湾曲された状態で退避される。したがって、良好な作業を行うのに十分なスペースが作業側のアダプタ１１の列に確保される。
このとき、差し込み板部２２からアダプタ１１の配列間の隙間への差し込み方向後方へ向かって、湾曲されたケーブル押さえ板部２５の曲率半径が徐々に小さく、さらには滑らかになっている場合には、ケーブル退避用治具２１を挿入する際に、退避させるべきケーブルへの影響をより軽減することができる。
【００２６】
このとき、作業側に隣接するアダプタ１１に差し込まれている光コネクタ１２が取り付けられた光ファイバ心線１３は、重力によって下方へ湾曲して垂れ下がっているが、ケーブル押さえ板部２５は、平板部２４よりも幅の広い広幅部２５ａと、平板部２４から広幅部２５ａへ向かって次第に幅が広がる拡幅部２５ｂとを有しているので、光ファイバ心線１３はケーブル押さえ板部２５によって確実に退避される。
【００２７】
また、ケーブル押さえ板部２５は、段部２６によって隙間Ｓへの挿入位置よりも、作業側から離れる側に配置されているので、作業側のアダプタ１１の列に、より大きな作業スペースが確保される。
【００２８】
この状態で、作業者は、作業対象のアダプタ１１に対する光コネクタ１２の挿抜作業などを良好に行うことができる。
このとき、作業者は、ケーブル退避用治具２１のケーブル押さえ板部２５に設けられた線番識別表示３１の各識別表示線３２を参照することにより、各アダプタ１１または各光コネクタ１２の位置を正確に識別し、光コネクタ１２の挿抜作業を円滑に行うことができる。
また、配線盤１はあまり明るくない場所に設置されている場合が多く、かつそのアダプタ列には数多くの使用中のケーブル（現用回線）が接続されているので、接続されるケーブルに対応した線番識別表示３１が設けられているケーブル退避用治具２１を用いることにより、間違いなく当該アダプタの着脱ができ、切替作業品質が向上する。
【００２９】
作業終了後は、ケーブル退避用治具２１の把持部２７を把持し、差し込み板部２２を隙間Ｓから引き抜き、次に作業を行うアダプタ１１の列に隣接する隙間Ｓへ差し込み板部２２を差し込む。
なお、場所の異なる配線盤１で作業を行う場合は、固定部３８をフレーム３９から外し、ケーブル退避用治具２１を作業対象の配線盤１のフレーム３９に固定部３８を磁着させて吊り下げ支持部３５によって吊り下げておく。
吊り下げ支持部３５によりケーブル退避用治具２１を吊り下げておくことにより、万一、ケーブル退避用治具２１が作業中に脱落しても、空中で静止するので、ケーブルを損傷したり、使用中のケーブルに接触して信号の損失を発生させ通信に影響を与えるおそれを低減できる。
【００３０】
以上説明したように、本実施形態に係るケーブル退避方法及びケーブル退避用治具によれば、作業を行うアダプタ１１の列と、このアダプタ１１の列に隣接する他のアダプタ１１の列との間にケーブル退避用治具２１を差し込むことにより、隣接する他のアダプタ１１の列に接続されている光ファイバ心線１３をケーブル退避用治具２１のケーブル押さえ板部２５の湾曲の内側の面によって押さえて退避させるので、作業対象のアダプタ１１の列での作業時に、隣接するアダプタ１１の列の光ファイバ心線１３が邪魔となるようなことがなくされる。
これにより、アダプタ１１に対する作業効率を大幅に高めることができる。また、隣接するアダプタ１１の列の光ファイバ心線１３の損傷などの作業時における不具合をなくすことができる。
【００３１】
また、ケーブル退避用治具２１のケーブル押さえ板部２５には、その湾曲の外側の面に、アダプタ１１に接続される光ファイバ心線１３に対応した識別表示線３２が複数配列された線番識別表示３１が設けられているので、この線番識別表示３１の各識別表示線３２を参照することにより、各アダプタ１１または各光コネクタ１２の位置を識別し、光コネクタ１２の挿抜作業を円滑に行うことができる。
【００３２】
さらに、ケーブル退避用治具２１のケーブル押さえ板部２５に、吊り下げワイヤ３７を有する吊り下げ支持部３５が連結されているので、この吊り下げ支持部３５の吊り下げワイヤ３７の他端の固定部３８を、配線盤１のフレーム３９などに固定することにより、ケーブル退避用治具２１を容易に吊り下げておくことができ、作業効率を高めることができる。
また、ケーブル退避用治具２１は、差し込み板部２２の差し込み先端側の縁部が円弧状に形成され、また、各角部が面取りされているので、ケーブル退避用治具２１の作業時における光ファイバ心線１３との接触による光ファイバ心線１３の損傷を防止することができる。
【００３３】
なお、上記実施形態では、光ファイバ心線１３を接続する配線盤１において、光ファイバ心線１３を退避させる場合を例示して説明したが、退避させるケーブルとしては光ファイバを含むものに限定されることはない。
【図面の簡単な説明】
【００３４】
【図１】本実施形態に係るケーブル退避方法及びケーブル退避用治具を示す図であって、（ａ）は配線盤の正面図、（ｂ）は配線盤の横断面図、（ｃ）は配線盤の縦断面図である。
【図２】本実施形態に係るケーブル退避用治具を示す図であって、（ａ）は右側面図、（ｂ）は底面図、（ｃ）は上面図、（ｄ）は正面図、（ｅ）は背面図、（ｆ）は左側面図、（ｇ）は（ａ）における一部の拡大図である。
【図３】吊り下げられたケーブル退避用治具の状態を示す模式図である。
【符号の説明】
【００３５】
１１：アダプタ、１３：光ファイバ心線（ケーブル）、２１：ケーブル退避用治具、２２：差し込み板部、２３：本体部、２５：ケーブル押さえ板部、３１：線番識別表示、３２：識別表示線（表示線）、３７：吊り下げワイヤ（線材）、３５：吊り下げ支持部、Ｓ：隙間
【図１】
2010096835.tif 000003
【図２】
2010096835.tif 000004
【図３】
2010096835.tif 000005